(57)【要約】【課題】ガイド軸部材との間に生じるガタを排除し得る機構を備えたレンズ鏡筒を提供する。【解決手段】レンズ鏡筒の光軸Ｏ方向に移動する移動枠１０と、レンズ鏡筒の光軸と平行に設けられた第１のガイド軸１２と、第１のガイド軸と平行に設けられた第２のガイド軸１３と、移動枠に設けられ第１のガイド軸と嵌合する第１の嵌合部１０ｂと、移動枠に設けられ第２のガイド軸と嵌合する第２の嵌合部１０ｄと、第１の嵌合部に設けられ移動枠を第２の嵌合部の方向に付勢する付勢手段１７と、第２の嵌合部に設けられ第２の嵌合部と第２のガイド軸との嵌合におけるガタを除去するガタ除去手段１０ｅとを具備する。【選択図】図１
2012078717.tif 000002
【特許請求の範囲】
【請求項１】
レンズ鏡筒において、
上記レンズ鏡筒の光軸方向に移動する移動枠と、
上記レンズ鏡筒の光軸と平行に設けられた第１のガイド軸と、
上記第１のガイド軸と平行に設けられた第２のガイド軸と、
上記移動枠に設けられ上記第１のガイド軸と嵌合する第１の嵌合部と、
上記移動枠に設けられ上記第２のガイド軸と嵌合する第２の嵌合部と、
上記第１の嵌合部に設けられ上記移動枠を上記第２の嵌合部の方向に付勢する付勢手段と、
上記第２の嵌合部に設けられ上記第２の嵌合部と上記第２のガイド軸との嵌合におけるガタを除去するガタ除去手段と、
を具備したことを特徴としたレンズ鏡筒。
【請求項２】
上記付勢手段は、板ばねにより上記第１のガイド軸を押圧していることを特徴とした請求項１記載のレンズ鏡筒。
【請求項３】
上記付勢手段は、一対の転動部材により上記第１のガイド軸を押圧していることを特徴とした請求項１記載のレンズ鏡筒。
【請求項４】
上記移動枠は、レンズを保持していることを特徴とした請求項１〜３のうちいずれか一つに記載のレンズ鏡筒。
【発明の詳細な説明】
【技術分野】
【０００１】
この発明は、レンズ鏡筒、詳しくはアクチュエータにより駆動されて光軸方向に移動するレンズ保持部材を備えたレンズ鏡筒の静音化機構に関するものである。
【背景技術】
【０００２】
従来、撮影光学系により結像された光学像を固体撮像素子等の光電変換素子等によって順次画像信号に変換し、これにより得られた画像信号を所定の形態の画像データとして記録媒体に記録し得ると共に、この記録媒体に記録された画像データを静止画像若しくは動画像として再生表示する液晶表示装置（ＬＣＤ）等の画像表示装置を備えて構成されたデジタルカメラやビデオカメラ等の撮影機器（以下、これらを総称してカメラという）が一般に実用化され広く普及している。
【０００３】
このような形態のカメラ等に適用されるレンズ鏡筒は、複数の光学レンズをそれぞれ保持する複数のレンズ保持部材等を有し、これら複数の保持部材等を、例えば変倍動作や焦点調節動作等を行うために光軸に沿う方向へと移動させるためのアクチュエータ及び駆動部材等を含む駆動機構等によって構成されている。
【０００４】
従来のレンズ鏡筒において、アクチュエータを用いて光軸方向に移動されるレンズ保持部材のうち自動焦点調節動作に関わるフォーカスレンズ保持部材は、同一方向への駆動だけでなく、駆動方向を反転させて正逆両方向への高速駆動が頻繁に行われるものである。近年においては、特に、動画撮影動作時における焦点調節動作に対応させるために、レンズ保持部材の高速駆動化が要求されている。
【０００５】
そこで、従来のレンズ鏡筒においては、レンズ保持部材等をより高速に駆動させ、かつより高い精度で停止させるために、レンズ保持部材をばね付勢することによって、レンズ保持部材に対するラジアル方向のガタを極力排除するように構成された駆動機構を持つものが、例えば特開２００７−２３２８８９号公報等によって、種々提案されている。
【０００６】
上記特開２００７−２３２８８９号公報等によって開示されているレンズ鏡筒は、レンズを保持すると共にガイド軸を受ける軸受を有しガイド軸に案内されて光軸方向に移動されるレンズ保持部材と、ガイド軸とレンズ保持部材との間に設けた付勢部材（板ばね）とを具備し、該付勢部材は、レンズ保持部材をガイド軸の中心に向かう方向に付勢するように構成している。  
【先行技術文献】
【特許文献】
【０００７】
【特許文献１】特開２００７−２３２８８９号公報
【発明の概要】
【発明が解決しようとする課題】
【０００８】
ところが、上記特開２００７−２３２８８９号公報等によって開示されているような形態の従来構成のレンズ鏡筒においては、一対のガイド軸の一方のガイド軸に対するガタは抑えられているものの他方のガイド軸に対する光軸と直交する平面に沿う方向にはガタが残ってしまうことになる。すなわち、一方のガイド軸中心に関し、レンズ保持部材が極僅かに回転してしまうことになってしまう。
【０００９】
また、ガイド軸とレンズ保持部材との間のガタ量が大きいと、振動が生じてしまい、画像に悪影響してしまうという問題点が生じる。
【００１０】
本発明は、上述した点に鑑みてなされたものであって、その目的とするところは、ガイド軸部材に沿って光軸方向に移動されるレンズ保持部材において、ガイド軸部材との間に生じるガタを排除し得る機構を備えたレンズ鏡筒を提供することである。
【課題を解決するための手段】
【００１１】
上記目的を達成するために、本発明によるレンズ鏡筒は、上記レンズ鏡筒の光軸方向に移動する移動枠と、上記レンズ鏡筒の光軸と平行に設けられた第１のガイド軸と、上記第１のガイド軸と平行に設けられた第２のガイド軸と、上記移動枠に設けられ上記第１のガイド軸と嵌合する第１の嵌合部と、上記移動枠に設けられ上記第２のガイド軸と嵌合する第２の嵌合部と、上記第１の嵌合部に設けられ上記移動枠を上記第２の嵌合部の方向に付勢する付勢手段と、上記第２の嵌合部に設けられ上記第２の嵌合部と上記第２のガイド軸との嵌合におけるガタを除去するガタ除去手段と、を具備したことを特徴とする。
【発明の効果】
【００１２】
本発明によれば、ガイド軸部材に沿って光軸方向に移動されるレンズ保持部材において、ガイド軸部材との間に生じるガタを排除し得る機構を備えたレンズ鏡筒を提供することができる。
【図面の簡単な説明】
【００１３】
【図１】本発明の第１の実施形態のレンズ鏡筒における移動枠を取り出して示す平面図
【図２】本発明の第２の実施形態のレンズ鏡筒における移動枠を取り出して示す斜視図
【図３】図２の矢印Ａ方向から見た際の平面図
【図４】図２の符号［４］−［４］線に沿う要部拡大断面図
【図５】本発明の第３の実施形態のレンズ鏡筒における移動枠を取り出して示す平面図
【図６】本発明の第４の実施形態のレンズ鏡筒における移動枠を取り出して示す斜視図
【図７】図６の矢印Ａ方向から見た際の平面図
【図８】本実施形態において第１のガイド軸を押圧する付勢手段の要部拡大三面図
【発明を実施するための形態】
【００１４】
以下、図示の実施の形態によって本発明を説明する。◎
以下に説明する各実施形態は、例えば光学レンズにより形成される光学像を固体撮像素子を用いて光電変換し、これによって得られる画像信号を静止画像又は動画像を表わすデジタル画像データに変換し、こうして生成されたデジタルデータを記録媒体に記録し、また記録媒体に記録されたデジタル画像データに基いて静止画像又は動画像を表示装置に再生表示し得るように構成されるカメラに使用されるレンズ鏡筒に、本発明を適用した場合の例示である。
【００１５】
また、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。なお、以下の各実施形態においては、レンズ鏡筒における撮影光学系の光軸を符号Ｏで表す。
【００１６】
本発明を適用した以下の各実施形態のレンズ鏡筒の基本的な構成は、従来一般的なカメラ等において使用されるレンズ鏡筒と略同様の構成からなるものである。したがって、以下の説明においては、従来のレンズ鏡筒と同様の構成部分については、その図示及び説明を省略し、本発明の特徴的構成部分を以下に詳述するものとする。
【００１７】
［第１の実施形態］
図１は、本発明の第１の実施形態のレンズ鏡筒における移動枠を取り出して示す平面図である。
【００１８】
本実施形態のレンズ鏡筒における移動枠１０は、撮影光学系の一部を構成する光学レンズ１１、例えばフォーカスレンズ等を保持し、当該光学レンズの光軸Ｏに沿う方向へと移動するレンズ保持部材である。
【００１９】
移動枠１０は、レンズ保持部１０ａと、第１の嵌合部１０ｂと、Ｌ状腕部１０ｃとを有して形成されている。このうち、レンズ保持部１０ａは、撮影光学系の一部の光学レンズ１１を保持する部位である。
【００２０】
第１の嵌合部１０ｂは、後述する第１のガイド軸１２を挟むように隙間嵌め状態で嵌合する部位である。そのために上記第１の嵌合部１０ｂは、上記レンズ保持部１０ａの外周から外方に向けて突設するように形成され、かつ光軸Ｏを含む一平面を挟むように開口を外部方に向けたＵ字状の凹部となった略チャンネル形状に形成されている。尚、上記嵌合部はＵ字状の凹部でもコの字状の凹部でもよい。要は軸を挟める形であればよい。
【００２１】
Ｌ状腕部１０ｃは、上記レンズ保持部１０ａを挟んで第１の嵌合部１０ｂとは反対側の上記レンズ保持部１０ａの外周から外方に突設する略Ｌ字形状からなる。このＬ状腕部１０ｃには、Ｌ字状基部において光軸Ｏと平行な方向に貫通孔からなる第２の嵌合部１０ｄが穿設されている。この第２の嵌合部１０ｄには、後述する第２のガイド軸１３が嵌合するようになっている。第２の嵌合部１０ｄの内部には、光軸Ｏ寄りの部位に、光軸Ｏに対して直交する面で切断した際の断面が互いが対向するように一対の斜面からなりＶ字形状の凹部からなる軸受部１０ｅが設けられていてＶ字形状の凹部の底部は光軸に向かって形成されている。この軸受部１０ｅは、第２の嵌合部１０ｄと第２のガイド軸１３との嵌合におけるガタを除去するガタ除去手段として機能する部材である。
【００２２】
したがって、上記移動枠１０は、光軸Ｏと平行に設けられ第１の嵌合部１０ｂに嵌合する第１のガイド軸１２と、この第１のガイド軸１２と平行に設けられ第２の嵌合部１０ｄに嵌合する第２のガイド軸１３とによって、光軸Ｏに沿う方向に進退移動自在に支持されている。
【００２３】
第１のガイド軸１２は円形断面の軸状部材からなり、移動枠１０が第２のガイド軸１３を回転中心として回転するのを規制する回転規制部材（回転防止部材）である。また、第１のガイド軸１２は、移動枠１０の上記光軸Ｏに沿う方向への進退移動を補助的にガイドする役目もしている。
【００２４】
第２のガイド軸１３は、上記第１のガイド軸１２と同様に円形断面の軸状部材からなり、移動枠１０を上記光軸Ｏに沿う方向への進退移動をガイドする案内部材である。
【００２５】
なお、移動枠１０に対する二本のガイド軸１２，１３の配置は、第１のガイド軸１２の軸中心Ｃと、第２のガイド軸１３の軸中心Ｄとを結ぶ直線が光軸Ｏを通るように設定されている。
【００２６】
また、Ｌ状腕部１０ｃのＬ字状先端部には、光軸Ｏと平行な方向に貫通孔１０ｆが穿設されている。この貫通孔１０ｆには、本レンズ鏡筒のレンズ駆動機構の一部を構成するリードスクリュー１４が回動自在に挿通されている。このリードスクリュー１４の一端には、不図示のアクチュエータの出力軸が駆動力伝達機構等を介して接続されている。これにより、リードスクリュー１４は、上記アクチュエータ（不図示）の駆動力を受けて正逆回動し得るようになっている。また、リードスクリュー１４には、同レンズ駆動機構の一部を構成するナット１５が螺合している。このナット１５は、本レンズ鏡筒の内部において、固定部２０ａに対し回転規制された状態で、光軸Ｏに沿う方向に進退移動し得るように配設されている。この状態において、移動枠１０は、不図示の付勢部材によってナット１５に向けて光軸Ｏに沿う方向に付勢されている。この構成により、移動枠１０とナット１５とは常に当接状態が維持されるようになっている。そして、上記リードスクリュー１４が上記アクチュエータの駆動力を受けて回動すると、上記ナット１５は回動規制された状態で、光軸Ｏに沿う方向に移動し、よって移動枠１０を同光軸Ｏに沿う方向に進退移動させるように構成されている。
【００２７】
一方、第１の嵌合部１０ｂには、ここに嵌合する第１のガイド軸１２を挟持するように一対の転動部材である球状部材１６と、この一対の球状部材１６を第１のガイド軸１２の外周面に向けて押圧する付勢手段１７が配設されている。なお、上記付勢手段としては、様々な形態のものを適用し得るが、本実施形態においてはコイル状スプリングを付勢手段として適用した例を示している。
【００２８】
上記一対の球状部材１６は、チャンネル形状からなる第１の嵌合部１０ｂの対向する壁部１０ｂｂのそれぞれに互いに向き合う位置に形成された丸穴、若しくは角穴からなる凹部１０ｂｃの内部のそれぞれに対して転動自在に収納されている。この場合において、各球状部材１６は、凹部１０ｂｃの開口から壁部１０ｂｂの面より外部に向けて一部が若干突出する状態で、かつ球状部材１６自体が凹部１０ｂｃの開口から外部に飛び出さないように収納される。
【００２９】
上記一対の凹部１０ｂｃのうちの少なくとも一方には、第１のガイド軸１２により球状部材１６を介して圧縮され付勢手段１７が収納されている。したがって、付勢手段１７は、少なくとも一つの球状部材１６を凹部１０ｂｃの方向に向けて押圧している。もちろん、両方の凹部１０ｂｃ内に付勢手段１７を配置し、一対の球状部材１６のそれぞれを押圧するように構成してもよい。
【００３０】
上記一対の球状部材１６及び付勢手段１７の配置は、次のように設定されている。即ち、上述したように、第１の嵌合部１０ｂには第１のガイド軸１２が嵌合される。上記一対の球状部材１６は、第１のガイド軸１２を押圧して挟持するように当接配置される。また、第１のガイド軸１２の軸中心Ｃと第２のガイド軸１３の軸中心Ｄとを結ぶ直線が光軸Ｏを通るように、上記二本のガイド軸（１２，１３）の配置が設定されている。
【００３１】
この構成において、上記一対の球状部材１６の中心を結ぶ線Ｂが、第１の嵌合部１０ｂに嵌合した状態の第１のガイド軸１２の軸中心Ｃよりも光軸Ｏ寄りの位置を通るように設定されている。そして、付勢手段１７は、球状部材１６を図１に示す矢印Ｘ方向、即ち光軸Ｏを含む面に対して直交する方向、即ち上記二本のガイド軸１２，１３の各軸中心Ｃ，Ｄを結ぶ直線に対して直交する方向に伸縮するように配置されている。
【００３２】
このように一対の球状部材１６及び付勢手段１７の配置を設定とすることによって、付勢手段１７は、一対の球状部材１６の一方を第１のガイド軸１２の外周面に向けて図１の矢印Ｘ方向に押圧する。すると、一対の球状部材１６は、第１のガイド軸１２の外周面に沿って転動するので、これにより移動枠１０自体が図１の矢印Ｙ方向であって第２の嵌合部１０ｄの方向に付勢される。このとき、第２の嵌合部１０ｄの側では、Ｖ字状の凹部からなる軸受部１０ｅの一対の傾斜面１０ｅｅが第２のガイド軸１３の外周面に向けて押圧された状態になる。したがって、第２の嵌合部１０ｄと第２のガイド軸１３との嵌合におけるガタが除去されることになる。
【００３３】
以上説明したように上記第１の実施形態によれば、一対の球状部材１６と、この一対の球状部材１６を押圧する付勢手段１７とを移動枠１０の所定の部位（第１の嵌合部１０ｂ）に設け、付勢手段１７が球状部材１６を付勢し押圧する方向を、第１のガイド軸１２（回転規制部材）と第２のガイド軸１３（案内部材）の各軸中心Ｃ，Ｄを通る線に対して直交する方向となるように構成している。そして、一対の球状部材１６の中心を結ぶ線Ｂが、第１の嵌合部１０ｂに嵌合された状態にある第１のガイド軸１２の軸中心Ｃよりも光軸Ｏ寄りの位置となるように設定されている。また、第２の嵌合部１０ｄには、ガタ除去手段として機能する軸受部１０ｅを設けている。
【００３４】
この構成によって、球状部材１６（転動部材）が第１のガイド軸１２（回転規制部材）を押圧するＸ方向の押圧力は、移動枠１０を第２のガイド軸１３の方向へと付勢するＹ方向へと変換される。このとき、第２のガイド軸１３は、軸受部１０ｅに当接することで、移動枠１０の第２の嵌合部１０ｄと第２のガイド軸１３との間に生じるガタを除去することができる。
【００３５】
また、球状部材１６を第１のガイド軸１２へと押圧する付勢手段１７としてコイル状スプリングを用いるようにしたので、この付勢手段１７の付勢力を調整することによって、当該押圧力を調整することが簡単にできる。
【００３６】
第２のガイド軸１３をＶ字状の凹部からなる軸受部１０ｅによって受けるようにしたので、第２のガイド軸１３に沿って移動枠１０が光軸Ｏ方向に進退移動する際の摩擦負荷を、従来の形態のものに比べて低減することができる。
【００３７】
また、移動枠１０が第２のガイド軸１３に沿って進退移動する際に、第１のガイド軸１２側の摩擦負荷が変化しないようになっている。したがって、よりスムースに移動枠１０を進退移動させることができる。
【００３８】
［第２の実施形態］
図２，図３，図４は、本発明の第２の実施形態を示す図である。このうち図２は、本実施形態のレンズ鏡筒における移動枠を取り出して示す斜視図である。図３は、図２の矢印Ａ方向から見た際の平面図である。図４は、本実施形態において第２のガイド軸が挿通された状態のスリーブについての図２の符号［４］−［４］線に沿う要部拡大断面図である。
【００３９】
本実施形態の基本的な構成は、上述の第１の実施形態の構成と略同様である。本実施形態においては、上述の第１の実施形態における第２のガイド軸を受ける軸受部の構成が異なる。その他の構成は、上述の第１の実施形態の構成と略同様である。したがって、上述の第１の実施形態と同じ構成部材には同じ符号を付して、その説明は省略し、異なる構成のみを以下に説明する。
【００４０】
本実施形態のレンズ鏡筒における移動枠１０Ａにおいては、第２の嵌合部１０ｄに対し円筒形状のスリーブ１８が嵌合されており、このスリーブ１８に対し第２のガイド軸１３が嵌合している。スリーブ１８の内面には、転動部材である球状部材１９を収納するＶ字状の軸受凹部１０Ａｅが二箇所形成されている。
【００４１】
なお、スリーブ１８には、軸受凹部１０Ａｅの配設部位に対向する位置に、上記軸受凹部１０Ａｅを形成する際の貫通孔１８ａが形成されている（図４参照）。
【００４２】
また、スリーブ１８の二箇所の軸受凹部１０Ａｅの配置は、次のように設定されている。即ち、二箇所の軸受凹部１０Ａｅは、図４に示すように、第１のガイド軸１２を押圧する一対の球状部材１６の中心を結ぶ線Ｂを含む面Ｅが、第２のガイド軸１３の軸中心Ｄと交わる交点Ｆを中心として互いに離間する位置に等間隔となるように配置されている（図４の符号Ｇ参照）。その他の構成は、上述の第１の実施形態と略同様である。
【００４３】
このように構成された第２の実施形態においても、上述の第１の実施形態と同様に付勢手段１７が、一対の球状部材１６の一方を第１のガイド軸１２の外周面に向けて図３の矢印Ｘ方向に押圧する。すると、一対の球状部材１６は、第１のガイド軸１２の外周面に沿って転動するので、これにより移動枠１０自体が図３の矢印Ｙ方向であって第２の嵌合部１０ｄの方向に付勢される。このとき、第２の嵌合部１０ｄの側では、軸受凹部１０Ａｅ内に収納配置された球状部材１９が第２のガイド軸１３の外周面に向けて押圧される。ここで、本実施形態においては、二箇所の軸受凹部１０Ａｅは、一対の球状部材１６の中心を結ぶ線Ｂを含む面を挟んで互いに離間する位置に等間隔で配置されている。したがって、付勢手段１７が一対の球状部材１６を押圧することによって移動枠１０Ａが第２のガイド軸１３の側に押圧される際には、第２のガイド軸１３に対して押圧分力が加わるようになっている。そして、第２の嵌合部１０ｄと第２のガイド軸１３との嵌合におけるガタが除去されることになる。
【００４４】
以上説明したように上記第２の実施形態によれば、上述の第１の実施形態と同様の効果を得ることができる。これに加えて、本実施形態においては、第２のガイド軸１３に対して押圧分力が加わるようにし、さらに、二箇所の軸受凹部１０Ａｅに球状部材１９を配設したので、第２のガイド軸１３と移動枠１０Ａの第２の嵌合部１０ｄとの接触状態を安定した状態とすることができる。よって、移動枠１０Ａは、第２のガイド軸１３と第２の嵌合部１０ｄとの間で嵌合ガタが生じてもガタつくことなくスムースに光軸Ｏ方向に進退移動することができる。
【００４５】
［第３の実施形態］
図５は、本発明の第３の実施形態のレンズ鏡筒における移動枠を取り出して示す平面図である。
【００４６】
本実施形態の基本的な構成は、上述の第１，第２の実施形態の構成と略同様である。本実施形態においては、第１のガイド軸（回転規制部材）を支持する部位の構成が、上述の第１，第２の実施形態とは異なる。その他の構成は、上述の第２の実施形態の構成と略同様である。したがって、上述の第１，第２の実施形態と同じ構成部材には同じ符号を付して、その説明は省略し、異なる構成のみを以下に説明する。
【００４７】
本実施形態のレンズ鏡筒における移動枠１０Ｂにおいても、第１の嵌合部１０ｂの近傍に一対の球状部材１６及び付勢手段が配置される点においては、上述の第１，第２の実施形態と略同様である。本実施形態においては、一対の球状部材１６を収納配置する凹部（１０Ｂｂｃ，１０ｂｃ）の形状と、球状部材１６を押圧する付勢手段の形態が異なる。
【００４８】
本実施形態においては、一対の球状部材１６が収納される凹部のうち一方の凹部１０Ｂｂｃがテーパー状の凹部を有するように形成されている。また、他方の凹部１０ｂｃは、上述の第１，第２の実施形態と略同様の形状に形成されている。そして、他方の凹部１０ｂｃの内部には、付勢手段１７Ｂとしての板状スプリングが配置されている。
【００４９】
この付勢手段１７Ｂは、凹部１０ｂｃ内に収納された球状部材１６を第１のガイド軸１２の外周面に向けて押圧する付勢部材である。本実施形態における付勢手段１７Ｂとしては、平板部材の略中央部に凸状部を有して形成される板状スプリング部材が適用されている。
【００５０】
一方、第２のガイド軸１３が嵌合する第２の嵌合部１０ｄの側の構成は、上述の第２の実施形態と全く同じ構成である。また、その他の構成は、上述の第１，第２の実施形態と略同様である。
【００５１】
このように構成された第３の実施形態においても、上述の第１，第２の実施形態と略同様に、付勢手段１７Ｂ（本実施形態では板状スプリング）が一対の球状部材１６の一方を第１のガイド軸１２の外周面に向けて図５の矢印Ｘ方向に押圧する。これにより、一対の球状部材１６は、移動枠１０Ｂを図５の矢印Ｙ方向（第２の嵌合部１０ｄの方向）に向けて付勢する。そして、二箇所の軸受凹部１０Ａｅに収納配置された球状部材１９が第２のガイド軸１３の外周面に向けて押圧される。このときの移動枠１０Ｂを付勢する押圧力は、二つの球状部材１９を介して第２のガイド軸１３に対して押圧分力としてが加わる。これにより、第２の嵌合部１０ｄと第２のガイド軸１３との嵌合におけるガタが除去されることになる。
【００５２】
以上説明したように上記第３の実施形態によれば、上述の第１の実施形態と略同様の効果を得ることができる。本実施形態においては、上述の第１，第２の実施形態の付勢手段１７としてのコイル状スプリングに代えて、付勢手段１７Ｂとしての板状スプリングを適用している。これにより、本実施形態においては、付勢手段１７Ｂの配置スペースを小さくすることができる。
【００５３】
［第４の実施形態］
図６，図７，図８は、本発明の第４の実施形態を示す図である。このうち図６は、本実施形態のレンズ鏡筒における移動枠を取り出して示す斜視図である。図７は、図６の矢印Ａ方向から見た際の平面図である。図８は、本実施形態において第１のガイド軸を押圧する付勢手段の要部拡大三面図である。
【００５４】
本実施形態の基本的な構成も、上述の各実施形態の構成と略同様である。本実施形態においては、第１のガイド軸（回転規制部材），第２のガイド軸（案内部材）をそれぞれ支持する各部位の構成が、上述の各実施形態と異なるのみである。その他の構成は、上述の各実施形態の構成と略同様である。したがって、上述の各実施形態と同じ構成部材には同じ符号を付して、その説明は省略し、異なる構成のみを以下に説明する。
【００５５】
本実施形態のレンズ鏡筒における移動枠１０Ｃにおいては、第１のガイド軸１２と嵌合する第１の嵌合部１０Ｃｂは、レンズ保持部１０ａの外周から外方に向かった方向に突設される突状部１０Ｃｂａと、この突状部１０Ｃｂａに隣接して配設され付勢手段としての機能を有する付勢手段１７Ｃとしてのバネ材からなる略Ｌ字状の板バネ部材とによって構成されている。該板バネ部材は略Ｌ字状の立ち曲げ部分である固定端としての一端部（一端面１７Ｃａ）と、これに繋がるバネ機能を有するバネ梁部（１７Ｃｂ、１７Ｃｃ）とを有し、バネ梁部は略「く」の字状に曲げられ形成されている。
【００５６】
付勢手段１７Ｃは、図８の三面図にも示されるように、固定端としての一端面１７Ｃａがレンズ保持部１０ａに対して例えばネジ，ビス等の固定手段によって固定されるようになっている。また、付勢手段１７Ｃのバネ梁部には、一端面１７Ｃａとバネ梁部自由端部との間には、移動枠１０Ｃに取り付けられた状態において正面から見た際に、上記突状部１０Ｃｂａの壁面に向き合う傾斜を有する傾斜面１７Ｃｃを有するように形成されている。
【００５７】
そして、第１のガイド軸１２は、図７にも示されるように、突状部１０Ｃｂａの側壁面１０Ｃｂｂと付勢手段１７Ｃの傾斜面１７Ｃｃとの間に嵌合配置されるようになっている。この場合において、付勢手段１７Ｃは、図７に示す矢印Ｈ方向に第１のガイド軸１２を押圧するように設定されている。
【００５８】
一方、移動枠１０Ｃにおいて、レンズ保持部１０ａを挟んで他端側には、光軸Ｏに沿う方向に延出し、外部に向けた開口を有するテーパー溝によって形成され、第２のガイド軸１３と嵌合する第２の嵌合部１０Ｃｄが形成されている。
一方、移動枠１０Ｃにおいて、レンズ保持部１０ａを挟んで他端側には、光軸Ｏに沿う方向に延出し、外部に向けた開口を有するＶ字状の溝によって形成され、第２のガイド軸１３と嵌合する第２の嵌合部１０Ｃｄが形成されている。
【００５９】
この構成により、本実施形態における移動枠１０Ｃは、第１の嵌合部１０Ｃｂに嵌合する第１のガイド軸１２と、第２の嵌合部１０Ｃｄに嵌合する第２のガイド軸１３とによって、光軸Ｏに沿う方向に進退移動自在に支持されている。その他の構成は、上述の各実施形態の構成と略同様である。
【００６０】
このように構成された第４の実施形態においては、付勢手段１７Ｃとしての板バネ部材が第１のガイド軸１２の外周面を図７の矢印Ｈ方向に押圧する。これにより、付勢手段１７Ｃは、移動枠１０Ｃの突状部１０Ｃｂａとの間で第１のガイド軸１２を嵌合するのと同時に、移動枠１０Ｃを図７の矢印Ｙ方向（第２の嵌合部１０Ｃｄの方向）に向けて付勢する。このとき、第２のガイド軸１３は、第２の嵌合部１０ＣｄのＶ字状の溝に嵌合している。したがって、このときの移動枠１０Ｃを付勢する押圧力は、第２の嵌合部１０ＣｄのＶ字状の溝が受けることになる。これにより、第２の嵌合部１０Ｃｄと第２のガイド軸１３との嵌合におけるガタが除去される。つまり、本実施形態においては、第２の嵌合部１０Ｃｄのテーパー溝が、第２の嵌合部１０Ｃｄと第２のガイド軸１３との嵌合におけるガタを除去するガタ除去手段として機能する。
【００６１】
以上説明したように上記第４の実施形態によれば、上述の各実施形態と略同様の効果を得ることができる。また、本実施形態においては、第１の嵌合部１０Ｃｂの一部を構成する付勢手段１７Ｃを、第１のガイド軸１２を押圧する付勢手段として兼用するように構成したので、より簡単な機構で同様の効果を得ることができる。また、部材点数を削減することができるので、小型化に寄与すると共に、製造工程の削減及び製造コストの低減化を実現することができる。
【００６２】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【符号の説明】
【００６３】
１０，１０Ａ，１０Ｂ，１０Ｃ……移動枠
１０ａ……レンズ保持部
１０ｂ，１０Ｃｂ……第１の嵌合部
１０ｄ，１０Ｃｄ……第２の嵌合部
１０ｅ……軸受部
１０Ａｅ……軸受凹部
１１……光学レンズ
１２……第１のガイド軸
１３……第２のガイド軸
１４……リードスクリュー
１５……ナット
１６……球状部材
１７，１７Ｂ，１７Ｃ……付勢手段
１８……スリーブ
１９……球状部材
２０ａ……固定部
【図１】
2012078717.tif 000003
【図２】
2012078717.tif 000004
【図３】
2012078717.tif 000005
【図４】
2012078717.tif 000006
【図５】
2012078717.tif 000007
【図６】
2012078717.tif 000008
【図７】
2012078717.tif 000009
【図８】
2012078717.tif 000010